(57)【要約】      （修正有）【課題】小さな占有面積で多くの長尺資材を収納でき、簡単に資材の出し入れができる長物資材収納棚を提供する。【解決手段】垂直支持部材２と、第１水平支持部材３ａと、第２水平支持部材とを有し、第１および第２水平支持部材はそれぞれ所定の間隔をあけて複数本が平行かつ同じ高さで設けられ、第１水平支持部材において第１端部４側は資材保持部６であり、第１端部とは逆の第２端部５側は非保持部であり、第２水平支持部材において第２端部側は資材保持部であり、第１端部側は非保持部であり、第１および第２水平支持部材でそれぞれ資材保持部の上面は非保持部の上面より高くなっており、第１および第２水平支持部材のそれぞれに対してギアードモーターが設けられ、第１および第２水平支持部材はその長さ方向に沿って移動可能である。【選択図】図１
0003231248.tif 000002
【実用新案登録請求の範囲】
【請求項１】
垂直支持部材と、第１水平支持部材と、第２水平支持部材とを有し、
第１水平支持部材および第２水平支持部材はそれぞれ所定の間隔をあけて複数本が平行かつ同じ高さで設けられており、
第１水平支持部材において第１端部側は資材保持部であり、第１端部とは逆である第２端部側は非保持部であり、
第２水平支持部材において第２端部側は資材保持部であり、第１端部側は非保持部であり、
第１水平支持部材および第２水平支持部材においてそれぞれ資材保持部の上面は非保持部の上面より高くなっており、
ギアードモーターが設けられていて第１水平支持部材および第２水平支持部材はその長さ方向に沿って移動可能になっている、長物資材収納棚。
【請求項２】
第１水平支持部材および第２水平支持部材のそれぞれにおいて、一方の端部の側の資材保持部逆側の端部の側の非保持部が設けられており、
第１水平支持部材および第２水平支持部材のそれぞれの資材保持部でない部分の下部にその長さ方向に沿って設けられたラックと、
ラックに対して垂直に設けられたシャフトと、
シャフトに取り付けられ、ラックに噛み合うピニオンを有し、
シャフトがギアードモーターにより回転させられて第１水平支持部材および第２水平支持部材はその長さ方向に沿って独立に移動可能になっている請求項１に記載の長物資材収納棚。
【請求項３】
垂直支持部材は所定の間隔をあけて設けられた一対の垂直な支柱を有し、この垂直支持部材は複数設けられていて、支柱の間には資材支持板が水平支持部材と異なる高さに設けられている請求項１または請求項２に記載の長物資材収納棚。
【考案の詳細な説明】
【技術分野】
【０００１】
この考案は、長尺物の資材を収納・保管する置場となる棚に関する。
【背景技術】
【０００２】
大型の機械の架台などを製造するとき、長尺物の資材を所定の長さに切り出して、それを溶接やねじ止めなどで接続して骨格を形成していく。長尺物の資材は形状や大きさが規格化されたものが使用される。複数種の長尺資材を予め取り寄せておき、使用する箇所に合あった種類のものを選択し、適切な長さに切断して使用していく。したがって、製造現場では必要な種類の長尺資材が十分な本数だけ常時準備されていなければならない。これらの資材は、現場の床に平積みされている。
【０００３】
また、特許文献１には、簡単な構造で容易に長尺物の出し入れができ、かつスペースの有効利用が図れることを目的とした長尺物の保管棚が提案されている。複数の支分有する棚本体とその正面に対して平行に移動できる移載機とで構成し、支分棚の底部には保管される長尺物の進退用のローラを定間隔で配し、その外端の駆動ローラには同一の電動モータを結合する。移載機は、先端のローラを駆動ローラとした搬送ローラ列及びアーム本体を進退自在とした支持アームを備えたテーブル部材と、テーブル部材を昇降させる昇降機構を備えた移動装置とで構成したものである。
【先行技術文献】
【特許文献】
【０００４】
【特許文献１】特開平１０−８７０２４号公開特許公報
【考案の概要】
【考案が解決しようとする課題】
【０００５】
これまで現場でなされているような資材を床に平積みするやりかたでは、それによって大きな面積が占有されてしまう。現場においても作業スペースは限定されており、無制限に資材置場に場所をさくことはできない。そこで、多くの現場では、多くの長尺資材が重なった状態で積まれている。このような状態では、下の方にある資材を使用する場合、その上にある資材をすべて取り除かなければならない。重量が大きい資材であれば、その度にクレーンで吊り上げて移動させる必要がある。
【０００６】
多段の棚を使用してスペースを節約することが考えられるが、重量の大きい長尺資材はクレーンにより吊り下げて出し入れする必要があるので、横方向から出し入れすることはできない。したがって、最上段以外の段の棚は資材置場として使用できない。特許文献１の長尺物の保管棚であれば、正面側から資材の出し入れをすることができる。しかし、この保管棚ではすべての支分棚に対して複数の進退用のローラを定間隔で配する必要があり、複雑かつ高価なものになる。また、長尺物の長さ方向に移動させて出し入れするので、長い距離を移動させる必要があり、移動時間が大きくなる。さらに、この保管棚の前には、資材の長さ分だけのスペースが出し入れ作業のために必要となり、大きな面積が取られることになる。
【０００７】
この考案は、小さな占有面積で多くの長尺資材を収納でき、簡単に資材の出し入れができる長物資材収納棚を提供することを目的とする。
【課題を解決するための手段】
【０００８】
上述の課題を解決するため、この考案の長物資材収納棚は、垂直支持部材と、第１水平支持部材と、第２水平支持部材とを有し、
第１水平支持部材および第２水平支持部材はそれぞれ所定の間隔をあけて複数本が平行かつ同じ高さで設けられており、
第１水平支持部材において第１端部側は資材保持部であり、第１端部とは逆である第２端部側は非保持部であり、
第２水平支持部材において第２端部側は資材保持部であり、第１端部側は非保持部であり、
第１水平支持部材および第２水平支持部材においてそれぞれ資材保持部の上面は非保持部の上面より高くなっており、
第１水平支持部材および第２水平支持部材はその長さ方向に沿って移動可能になっている。そして、垂直支持部材は所定の間隔をあけて設けられた一対の垂直な支柱を有し、この垂直支持部材は複数設けられていて、支柱の間には資材支持板が設けられていることが好ましく、また、第１水平支持部材および第２水平支持部材によって形成される資材収納段を異なる高さで複数段備え、さらに資材収納段の上には垂直支持部材に対して固定された固定資材支持段が設けられていることが好ましい。
【考案の効果】
【０００９】
この考案の長物資材収納棚は小さいスペースで多くの長尺資材を収納でき、しかも、それらの資材を簡単に出し入れすることができる。
【図面の簡単な説明】
【００１０】
【図１】長物資材収納棚を示す右側面図である。
【図２】同正面図である。
【図３】同平面図である。
【図４】同Ａ−Ａ断面図である。
【図５】同Ｂ−Ｂ断面図である。
【図６】水平支持部材を示す右側面図である。
【図７】同正面図である。
【図８】同平面図である。
【図９】連結された水平支持部材を示す平面図である。
【図１０】資材保持部の上面を示す断面図である。
【図１１】長物資材収納棚の使用状態を示す右側面図である。
【考案を実施するための形態】
【００１１】
この考案を実施するための形態について、図面に基づいて説明する。図１は長物資材収納棚を示す右側面図、図２は同正面図、図３は同平面図、図４は同Ａ−Ａ断面図、図５は同Ｂ−Ｂ断面図である。なお、断面図においては見易さを考慮して、奥側の部材の表示を一部省略している。
【００１２】
長物資材収納棚１は垂直支持部材２と、第１水平支持部材３ａと、第２水平支持部材３ｂを有する。
【００１３】
垂直支持部材２は第１水平支持部材３ａと第２水平支持部材３ｂを支持する支柱となる部材である。本例においては、所定の間隔をあけて３体の垂直支持部材２が一列に並べて設けられている。
【００１４】
第１水平支持部材３ａおよび第２水平支持部材３ｂはそれぞれ所定の間隔をあけて複数本が平行かつ同じ高さで設けられている。図６は水平支持部材の例を示す右側面図、図７は同正面図、図８は同平面図である。水平支持部材３の本体はほぼ棒状の細長い部材であり、本例ではコに字状の断面を有するＣ型鋼を使用している。本例では、第１水平支持部材３ａおよび第２水平支持部材３ｂとして同じ水平支持部材が逆向きに設置されている。長物資材収納棚１を側面から見たときの一方の端部を第１端部４とし、第１端部４と逆側の端部を第２端部５とする。たとえば、図１において左側の端部を第１端部４とし、右側の端部を第２端部５とする。水平支持部材３の一方の端部の側では所定の長さが資材保持部６となる。そして、逆側の端部の側では同じ長さが非保持部７となる。
【００１５】
資材保持部６の上面は非保持部７の上面より高くなっている。本例では、水平支持部材３の本体はＣ型鋼なので上面は一定の高さであるが、資材保持部６では例えば厚さ６ｍｍの金属板８を取り付けている。したがって、この金属板８の厚み分だけ資材保持部６がより高くなる。また、資材保持部６の両端部には、垂直な壁面部９を有する。
【００１６】
第１水平支持部材３ａおよび第２水平支持部材３ｂはそれぞれ垂直支持部材２の個数と同じ本数が設置されている。本例では垂直支持部材２は３基設けられるので第１水平支持部材３ａおよび第２水平支持部材３ｂはそれぞれ３本ずつ設けられる。
【００１７】
３本の第１水平支持部材３ａはすべて資材保持部６が同じ側になるように設置される。図１の例では、左側、すなわち第１端部４の側に資材保持部６が並び、右側の第２端部５の側に非保持部７が並ぶ。一方、第２水平支持部材３ｂでは逆になり、第２端部５の側に資材保持部６が並び、第１端部４の側に非保持部７が並ぶ。長尺資材は平行に設けられた水平支持部材３の資材保持部６の上に載せて収納される。水平支持部材３に対してほぼ垂直な向きで置かれる。
【００１８】
図９は連結された水平支持部材を示す平面図である。複数本の第１水平支持部材３ａは垂直な連結部材１０により接続されている。例えば、第２端部５の下面に１本と、資材保持部６の奥側の端部付近の上面に１本の合計２本の連結部材１０が設けられ、一体の枠体を形成している。第２水平支持部材３ｂも同様である。こうして、枠形状が形成された水平支持部材３の資材保持部６の上に長尺資材ｘは置かれる。
【００１９】
同じ高さの水平面に並べられた第１水平支持部材３ａおよび第２水平支持部材３ｂの資材保持部６によって、それぞれ独立した資材収納段が形成される。このような第１水平支持部材３ａおよび第２水平支持部材３ｂの組み合わせは、異なる高さに複数段形成してもよい。本例では、床付近の高さと、垂直支持部材２の高さ中央付近に第１水平支持部材３ａおよび第２水平支持部材３ｂの組み合わせを設置している。また、最上部にも棚段を設けているが、この段は垂直支持部材２に固定された固定水平支持部材１１により形成された固定資材支持段である。
【００２０】
垂直支持部材２は水平支持部材３や固定水平支持部材１１を必要な高さに支持し、収納する資材の重さに十分耐えるものであることが望まれる。特に、資材を載せた状態で水平支持部材が進出したときには大きなモーメントが加わるので、このモーメントに耐えるために水平支持部材３の長さ方向に幅のある設置ができることが好ましい。そこで、本例では、一対の垂直な支柱２ａとその間に設けられた梁材２ｂにより垂直支持部材２を形成している。一対の垂直な支柱２ａの間隔は、ほぼ水平支持部材３の資材保持部６の長さに対応している。また、支柱同士の間には資材支持板１８が設けられている。この資材支持板１８は水平支持部材３と異なる高さに設けられる。
【００２１】
各垂直支持部材２には、それぞれの高さの段において第１水平支持部材３ａおよび第２水平支持部材３ｂがそれぞれ一本ずつ近接して取り付けられている。１本の水平支持部材３に対して上側と下側にそれぞれ２つずつローラ１３が設けられ、この４つのローラに挟まれるように水平支持部材３が設置される。また、４つのローラのうち、２つは鍔付きである。このように鍔付きローラを含む４つのローラによって支持されることにより、水平支持部材３の上下方向および長さに対して垂直方向の動きは規制される。しかし、水平支持部材３の長さ方向に沿った移動は自由になっている。
【００２２】
この考案の長物資材収納棚は駆動装置を備え、この駆動装置によって第１水平支持部材３ａおよび第２水平支持部材３ｂはその長さ方向に沿って移動可能になっている。この駆動装置の例について説明する。水平支持部材３の下部には、その長さ方向に沿ってラック１４が設けられている。このラック１４は資材保持部６でない部分に設けられる。本例では、すべての水平支持部材３にラック１４が設けられている。
【００２３】
また、このラック１４に対して垂直にシャフト１５が設けられ、このシャフト１５にはピニオン１６が取り付けられている。そして、このラック１４とピニオン１６が噛み合っている。さらに、このシャフト１５を回転させるためのモータ１７が設けられている。本例では、内部に変速機を内蔵したギアードモータが使用されている。
【００２４】
シャフト１５およびモータ１７は各高さの段に２基ずつ設けられ、１基は第１水平支持部材３ａに、他方は第２水平支持部材３ｂに接続されている。したがって、第１水平支持部材３ａと第２水平支持部材３ｂをそれぞれ独立して駆動できる。
【００２５】
以上、本例ではラック１４、シャフト１５、ピニオン１６およびモータ１７により駆動装置が形成されている。この駆動装置はすべての段の第１水平支持部材３ａと第２水平支持部材３ｂに対して設けられ、それぞれの高さにおいても独立に駆動できる。
【００２６】
モータ１７は両方向に回転することができる。ある方向に回転したときは、水平支持部材３は第１端部側に移動する。こうして、資材保持部６は外側に突き出るように進出する。また、逆方向に回転させると、水平支持部材３は第２端部側に移動し、資材保持部６は内側に後退する。
【００２７】
つぎに、この長物資材収納棚の使用方法について説明する。まず、最上部に設けられている固定資材支持段１１には、従来の資材置場と同様に資材を出し入れすることができる。上部には障害物がないので、クレーンで資材を吊り下げて、資材の収納、取り出しを行うことができる。
【００２８】
第１水平支持部材３ａおよび第２水平支持部材３ｂは、資材の出し入れをしないときは、資材保持部６が最も後退した位置になっている。このとき、第１水平支持部材３ａおよび第２水平支持部材３ｂは図１に示すようにほぼ固定資材支持段の下に全体が入っている。したがって、上から見たときに長物資材収納棚が占有している面積は最も小さい。
【００２９】
最上段以外の段では、そのままでは資材の出し入れはできない。資材保持部６の上には固定資材支持段１１などがあるので、これが障害となってクレーンによる資材の上げ下げができないからである。そこで、資材の出し入れをしたいところの水平支持部材３の資材保持部６を固定資材支持段よりも外側に進出させることになる。たとえば、固定資材支持段１１の下にある段の第１水平支持部材３ａに資材を収納したいときは、その第１水平支持部材３ａに連結されたモータ１７を作動させる。モータ１７の回転はシャフト１５およびピニオン１６を介して伝達され、第１水平支持部材３ａを移動させる。第１水平支持部材３ａが第１端部側に移動する向きに、モータ１７を回転させ、第１水平支持部材３ａの資材保持部６を外側へ進出させる。このとき、第１水平支持部材３ａの非保持部７は、同じ段の第２水平支持部材３ｂの資材保持部６と同じ側に位置している。図１０は資材保持部の上面を示す断面図である。第２水平支持部材３ｂの資材保持部６に長尺資材ｘがすでに収納されていると、第１水平支持部材３ａの非保持部７はその長尺資材の下を移動していくことになる。ここで、非保持部７の上面は資材保持部６の上面よりも低くなっているので、非保持部７は第２水平支持部材３ｂに収納された長尺資材に接触することなく移動することができる。第２水平支持部材３ｂを移動させるときも同様であり、第２水平支持部材３ｂの非保持部７は第１水平支持部材３ａに収納された長尺資材に接触することなく移動することができる。
【００３０】
資材保持部６が固定資材支持段よりも外側に移動したら、モータ１７を停止させる。図１１は長物資材収納棚の使用状態を示す右側面図である。この状態において、固定資材支持段１１の下にある段の第１水平支持部材３ａの資材保持部６の上は開放空間になっており、クレーンを使用して自由に長尺資材ｘの出し入れを行うことができる。資材ｘの出し入れを終了したらモータ１７を逆方向に回転させ、資材保持部６を固定資材支持段の下まで後退させる。
【００３１】
第１水平支持部材および第２水平支持部材は３段以上設けることも可能である。段数が増えても、床の占有面積は変わらない。したがって、狭い場所に多種類の長尺資材を多数収納することができ、作業現場の空間を効率よく活用できる。
【００３２】
なお、本例では垂直支持部材２を形成している２本の支柱２ａの間には資材保持部６は進入しないので、この空間では第１水平支持部材および第２水平支持部材による長尺資材の収納は行われない。しかし、支柱２ａの間には資材支持板１８が設けられているので、ここにも資材を収納することができる。この部分は可動式ではないので、人力で持ち上げることができるような軽量な資材を正面または奥側から出し入れすることになる。また、各種工具類など置くこともできる。こうして、支柱の間の空間も有効に活用できる。
【符号の説明】
【００３３】
１．長物資材収納棚
２．垂直支持部材
３．水平支持部材
３ａ．第１水平支持部材
３ｂ．第２水平支持部材
４．第１端部
５．第２端部
６．資材保持部
７．非保持部
８．金属板
９．垂直壁面部
１０．連結部材
１１．枠体
１２．固定水平支持部材（固定資材支持段）
１３．ローラ
１４．ラック
１５．シャフト
１６．ピニオン
１７．モータ（駆動装置）
１８．資材支持板
【図１】
0003231248.tif 000003
【図２】
0003231248.tif 000004
【図３】
0003231248.tif 000005
【図４】
0003231248.tif 000006
【図５】
0003231248.tif 000007
【図６】
0003231248.tif 000008
【図７】
0003231248.tif 000009
【図８】
0003231248.tif 000010
【図９】
0003231248.tif 000011
【図１０】
0003231248.tif 000012
【図１１】
0003231248.tif 000013
【手続補正書】
【提出日】令和3年1月13日(2021.1.13)
【手続補正１】
【補正対象書類名】実用新案登録請求の範囲
【補正対象項目名】全文
【補正方法】変更
【補正の内容】
【実用新案登録請求の範囲】
【請求項１】
第１水平支持部材と、第２水平支持部材と、第１水平支持部材と第２水平支持部材を支持する垂直支持部材を有し、
第１水平支持部材および第２水平支持部材はそれぞれ所定の間隔をあけて複数本が平行かつ同じ高さで設けられており、
第１水平支持部材において第１端部側は資材保持部であり、第１端部とは逆である第２端部側は非保持部であり、
第２水平支持部材において第２端部側は資材保持部であり、第１端部側は非保持部であり、
第１水平支持部材および第２水平支持部材においてそれぞれ資材保持部の上面は非保持部の上面より高くなっており、
ギアードモーターが設けられていて第１水平支持部材および第２水平支持部材はその長さ方向に沿って移動可能になっている、長物資材収納棚。
【請求項２】
第１水平支持部材および第２水平支持部材のそれぞれにおいて、一方の端部の側の資材保持部逆側の端部の側の非保持部が設けられており、
第１水平支持部材および第２水平支持部材のそれぞれの資材保持部でない部分の下部にその長さ方向に沿って設けられたラックと、
ラックに対して垂直に設けられたシャフトと、
シャフトに取り付けられ、ラックに噛み合うピニオンを有し、
シャフトがギアードモーターにより回転させられて第１水平支持部材および第２水平支持部材はその長さ方向に沿って独立に移動可能になっている請求項１に記載の長物資材収納棚。
【請求項３】
垂直支持部材は所定の間隔をあけて設けられた一対の垂直な支柱を有し、この垂直支持部材は複数設けられていて、支柱の間には資材支持板が水平支持部材と異なる高さに設けられている請求項１または請求項２に記載の長物資材収納棚。